(57)【特許請求の範囲】
【請求項１】
駆動源に連結されたケース内に、該ケースと一体回転するポンプシェルと、該ポンプシェルの前記駆動源側に対向配置されて流体を介して前記ポンプシェルとの間で動力が伝達されるタービンシェルと、前記ポンプシェル側と前記タービンシェル側とを直結するロックアップクラッチとが備えられた流体伝動装置であって、
前記ケースに、揺動可能な揺動体を有して前記駆動源による振動を低減する動吸振器が備えられ、
前記動吸振器は、前記ポンプシェル及び前記タービンシェルの外周側において前記ポンプシェル及び前記タービンシェルの少なくとも一方と軸方向にオーバーラップして配置され、
前記ロックアップクラッチの締結時に前記駆動源による振動を低減するダンパスプリングが備えられ、
前記ダンパスプリングは、前記ロックアップクラッチの外周側に配置されると共に、前記動吸振器と径方向にオーバーラップして配置され、
前記動吸振器は、前記ケースの外周面に取り付けられている、
ことを特徴とする流体伝動装置。
【発明の詳細な説明】
【技術分野】
【０００１】
本発明は、車両に搭載される変速機の流体伝動装置、特に動吸振器を備えた流体伝動装置に関し、車両用変速機の技術分野に属する。
【背景技術】
【０００２】
車両に搭載される自動変速機や無段変速機等の変速機に組み込まれて、エンジン出力を変速機構に伝達する流体伝動装置は、エンジンの出力軸に連結されたケース内に、ケースと一体的に回転するポンプシェルと、該ポンプシェルに対向配置されて流体を介して該ポンプシェルとの間で動力が伝達されるタービンシェルとを有している。
【０００３】
前記流体伝動装置では、エンジンの燃費性能を向上させるために、ポンプシェル側とタービンシェル側とを直結するロックアップクラッチを備えたものが一般に知られている。
【０００４】
前記流体伝動装置ではまた、エンジンのトルク変動に起因する駆動系のねじり振動を低減させるために、振動を低減する動吸振器として遠心式の振り子ダンパを備えたものが知られている。例えば特許文献１には、エンジン出力を変速機構側へ伝達する出力部材に遠心式の振り子ダンパが固定された流体伝動装置が開示されている。
【先行技術文献】
【特許文献】
【０００５】
【特許文献１】特開２０１２−０７７８２７号公報
【発明の概要】
【発明が解決しようとする課題】
【０００６】
しかしながら、前記特許文献１に記載される流体伝動装置では、動吸振器としての遠心式の振り子ダンパは、ポンプシェル及びタービンシェルのエンジン側に配置されていることから、軸方向寸法が大きな構成とされ、軸方向寸法を短縮してコンパクトに構成することが望まれる。
【０００７】
特に、軸心が車体幅方向に延びる横置き式の変速機に組み込まれる流体伝動装置では、軸方向寸法が大きく構成されると変速機全体の軸方向寸法が増大して車体のフレーム部材などとの干渉が問題となりやすく、軸方向寸法を短縮してコンパクトに構成することが望まれる。
【０００８】
そこで、本発明は、動吸振器が備えられた流体伝動装置において、軸方向にコンパクトに構成することが可能である流体伝動装置を提供することを課題とする。
【課題を解決するための手段】
【０００９】
前記課題を解決するため、本発明に係る流体伝動装置は、次のように構成したことを特徴とする。
【００１０】
まず、本願の請求項１に記載の発明は、駆動源に連結されたケース内に、該ケースと一体回転するポンプシェルと、該ポンプシェルの前記駆動源側に対向配置されて流体を介して前記ポンプシェルとの間で動力が伝達されるタービンシェルと、前記ポンプシェル側と前記タービンシェル側とを直結するロックアップクラッチとが備えられた流体伝動装置であって、前記ケースに、揺動可能な揺動体を有して前記駆動源による振動を低減する動吸振器が備えられ、前記動吸振器は、前記ポンプシェル及び前記タービンシェルの外周側において前記ポンプシェル及び前記タービンシェルの少なくとも一方と軸方向にオーバーラップして配置され、前記ロックアップクラッチの締結時に前記駆動源による振動を低減するダンパスプリングが備えられ、前記ダンパスプリングは、前記ロックアップクラッチの外周側に配置されると共に、前記動吸振器と径方向にオーバーラップして配置され、前記動吸振器は、前記ケースの外周面に取り付けられていることを特徴とする。
【発明の効果】
【００１４】
上記の構成により、本願の請求項１に記載の発明によれば、流体伝動装置のケースに、駆動源による振動を低減する動吸振器が備えられ、動吸振器は、ポンプシェル及びタービンシェルの外周側においてポンプシェル及びタービンシェルの少なくとも一方と軸方向にオーバーラップして配置されることにより、動吸振器を備えた流体伝動装置において、動吸振器をポンプシェル及びタービンシェルと軸方向にオーバーラップさせない場合に比べて、流体伝動装置の軸方向寸法が短縮され、流体伝動装置を軸方向にコンパクトに構成することが可能である。ロックアップクラッチを備えた流体伝動装置において、動吸振器による振動低減を有効に得ることができる。
【００１５】
また、ロックアップクラッチの締結時に駆動源による振動を低減するダンパスプリングが備えられ、ダンパスプリングは、ロックアップクラッチの外周側に配置されると共に動吸振器と径方向にオーバーラップして配置されることにより、ロックアップクラッチとダンパスプリングとを軸方向にコンパクトに構成することができると共にダンパスプリングと動吸振器とを径方向にコンパクトに構成することができ、流体伝動装置をコンパクトに構成することができる。
【００１７】
また、動吸振器は、ケースの外周面に取り付けられることにより、動吸振器を安定して支持させることができ、動吸振器による振動低減を有効に得ることができる。また、動吸振器をケースの外周面に取り付けることにより、ケースの内周面に取り付ける場合に比して、ケース内の流体を充填する空間を小さくして流体の供給量を低減することができ、重量の低減を図ることができる。
【図面の簡単な説明】
【００１８】
【図１】本発明の第１実施形態に係る流体伝動装置の断面図である。
【図２】図１に示す流体伝動装置の要部を拡大した断面図である。
【図３】本発明の第２実施形態に係る流体伝動装置の断面図である。
【図４】本発明の第３実施形態に係る流体伝動装置の断面図である。
【図５】本発明の第４実施形態に係る流体伝動装置の断面図である。
【発明を実施するための形態】
【００１９】
以下、本発明を自動変速機のトルクコンバータに適用した実施形態について説明する。
【００２０】
図１は、本発明の第１実施形態に係る流体伝動装置の断面図であり、図２は、図１に示す流体伝動装置の要部を拡大した断面図である。本発明の実施形態に係る流体伝動装置としてのトルクコンバータ１は、自動変速機に組み込まれ、図１に示すように、その外殻を形成するケース１０を有している。
【００２１】
ケース１０は、その駆動源側であるエンジン側の面を構成するフロントカバー１１の外周部に固設された複数のスタッドボルト１６と該スタッドボルト１６に螺合されるナットＡとによりエンジンのクランクシャフトＢの端部にクランクボルトＣを用いて取り付けられたドライブプレートＤの外周部に取り付けられている。これにより、トルクコンバータ１の全体がクランクシャフトＢに連結されて、エンジンにより駆動されるようになっている。なお、以下の説明では、便宜上、エンジン側（図の右側）を前方、反エンジン側（図の左側）を後方とする。
【００２２】
トルクコンバータ１は、主たる構成要素として、ポンプ２０、タービン３０、ステータ４０、ワンウェイクラッチ５０、ロックアップクラッチ６０及びダンパスプリング７０を有し、これらがケース１０内に収納されていると共に、ケース１０内には動力伝達用流体としてのオイルが充満されるようになっている。
【００２３】
ポンプ２０は、ケース１０の反エンジン側の面をリアカバー１３と共に構成するポンプシェル２１と、ポンプシェル２１の外周部に設けられた後方へ膨出する湾曲部２１ａの内部に周方向に所定間隔を隔てて配設された多数のブレード２２とで構成されている。なお、リアカバー１３は、ポンプシェル２１における該ポンプシェル２１の最外周部から内周側に向かうにつれて反駆動源側へ膨出する部分に連結されている。
【００２４】
そして、ケース１０と一体的に回転することにより、ケース１０内に充満されているオイルをブレード２２と湾曲部２１ａの内面とで案内して、該オイルに軸心回りに旋回しながら後方から前方へ向う流れａを発生させるようになっている。
【００２５】
また、ポンプ２０には、具体的にはポンプシェル２１の内周端部には変速機構側に延びるポンプスリーブ２３が結合されており、ポンプスリーブ２３の先端がトルクコンバータ１の後方に配設されたギヤ式オイルポンプＥのインナギヤＥ´に係合されることにより、クランクシャフトＢの回転によってケース１０及びポンプスリーブ２３を介して、オイルポンプＥが駆動されるようになっている。
【００２６】
タービン３０は、外周部にポンプシェル２１の湾曲部２１ａと反対側に湾曲する湾曲部３１ａを有するタービンシェル３１と、タービンシェル３１の湾曲部３１ａの内部に周方向に所定間隔を隔てて配設された多数のブレード３２と、タービンシェル３１の内周端部にリベットにより結合されたタービンハブ３３とで構成されており、ポンプ２０の前方に対向配置されて、ケース１０内に回転自在に収納されている。
【００２７】
そして、タービンシェル３１のブレード３２が配設された湾曲部３１ａと、ポンプシェル２１のブレード２２が配設された湾曲部２１ａとが対向配置されていることにより、ポンプ２０の回転によって生じた流れａがタービンシェル３１の湾曲部３１ａ内に導入されて、該湾曲部３１ａの内面とブレード３２とによって内方へ向う流れｂが形成され、この流れｂがブレード３２を押圧することにより、タービン３０が周方向に力を受け、ポンプ２０と同方向に駆動されるようになっている。
【００２８】
この駆動力は、タービン３０に連結された自動変速機の変速機構側に延びるタービンシャフト２４により、変速機構へ伝達されるようになっている。タービン３０は、タービンハブ３３の内周端部がタービンシャフト２４にスプライン嵌合されることによりタービンシャフト２４に連結されている。
【００２９】
ステータ４０は、ポンプ２０とタービン３０との対向部の内側に配設されており、内輪部４１と外輪部４２との間に放射方向に延びる多数のブレード４３を周方向に所定間隔を隔てて全体を一体化した構成とされ、ブレード４３が、ポンプ２０におけるブレード２２の内周側の端部とタービン３０におけるブレード３２の内周側の端部との間に位置するように配置されていることにより、タービン３０を駆動した流体の流れｂがタービン３０側から導入されて、各ブレード４３の間を通過する流れｃが形成されるようになっている。
【００３０】
そして、この流れｃがポンプシェル２１の湾曲部２１ａの内周側から導入されて流れａとなることにより、ポンプ２０、タービン３０及びステータ４０の各ブレード２２、３２、４３の間を通過して循環する流れが形成され、トルクコンバータ１の全体として、この循環路が形成されるドーナツ状の空間、即ちトーラスＴが形成されるようになっている。
【００３１】
ワンウェイクラッチ５０は、ステータ４０を支持してステータ４０によるトルク増大作用を実現させるものであり、ステータ４０の内側に配設されている。ワンウェイクラッチ５０は、アウタレース５１と、インナレース５２と、両レース５１、５２の間に介設された複数のスプラグ５３とを有し、アウタレース５１の外周面にステータ４０の内輪部４１の内周面が圧入でスプライン嵌合されていると共に、インナレース５２は、内周面が自動変速機の変速機ケースＧから延びるステータシャフト２５にスプライン嵌合されることによりステータシャフト２５に組み付けられるようになっている。
【００３２】
なお、ワンウェイクラッチ５０は、その前方に位置するタービンハブ３３との間、及び後方に位置するポンプシェル２１に結合されたポンプスリーブ２３との間にそれぞれ配設されたスラストベアリング５４、５５により軸方向の位置が規制されており、これにより、ステータ４０がポンプ２０及びタービン３０に対して軸方向に位置決めされている。
【００３３】
そして、ステータ４０は、流れｃにより、ブレード４３の一方の面に押圧力が作用して一方向の回転力を受けたときに、ワンウェイクラッチ５０が空転することにより自由に回転し、また、ブレード４３の他方の面に押圧力が作用して他方向の回転力を受けたときには、ワンウェイクラッチ５０がロックすることにより固定される。このとき、トルク増大作用が発生し、エンジンからポンプ２０に入力されたトルクが増大されて、タービン３０からタービンシャフト２４に出力される。
【００３４】
トーラスＴ内に供給されるオイルは、ステータシャフト２５とタービンシャフト２４との間に形成された油路２５ａを通じてケース１０内に供給され、タービンハブ３３に設けられた油路３３ａを通じてロックアップクラッチ６０が配置される空間部に供給されると共にポンプシェル２１とタービンシェル３１との間からトーラスＴに供給される。
【００３５】
そして、トーラスＴに供給されたオイルは、ポンプ２０、タービン３０及びステータ４０の各ブレード２２、３２、４３の間を通過して循環すると共に、その一部が、ポンプスリーブ２３とステータシャフト２５との間に形成された油路２３ａを通じてケース１０内から排出される。
【００３６】
ロックアップクラッチ６０は、ポンプシェル２１側とタービンシェル３１側とを直結するものであり、同心状に配置されたクラッチハブ６１及びクラッチドラム６２と、クラッチハブ６１とクラッチドラム６２との間に配設され、これらに交互に係合された複数の摩擦板６３と、複数の摩擦板６３を押圧するピストン６４とを有し、クラッチハブ６１が、フロントカバー１１の内面に溶接により固着されている。
【００３７】
フロントカバー１１にはまた、該フロントカバー１１の内周側に油路構成部材６５が溶接により固着され、油路構成部材６５は、クランクシャフトＢに連結される連結部材１２の外周側、且つクラッチハブ６１の内周側においてフロントカバー１１に沿って径方向に延びている。ピストン６４は、油路構成部材６５とクラッチハブ６１との間に摺動自在に篏合されている。なお、油路構成部材６５とフロントカバー１１との溶接は例えば周方向の複数箇所において行われる。
【００３８】
ロックアップクラッチ６０はまた、ピストン６４の後方に連結部材１２に固着されたプレート部材６６を備えており、ピストン６４とプレート部材６６との間にロックアップクラッチ６０の締結用油圧が供給される油圧室４が形成されている。
【００３９】
油圧室４に、図２に示すように、タービンシャフト２４の内部に設けられた油路２４ａから、連結部材１２に設けられた油路１２ａ等を通って所定の締結用油圧でオイルが供給されたとき、ピストン６４により複数の摩擦板６３がフロントカバー１１側に押し付けられ、ロックアップクラッチ６０が締結される。
【００４０】
ロックアップクラッチ６０にはまた、ピストン６４とケース１０、具体的にはフロントカバー１１との間にバランス室６が形成されている。バランス室６は、ピストン６４を挟んで油圧室４の反対側に形成され、バランス室６に導入されるオイルに作用する遠心力によって油圧室４内のオイルに作用する遠心力をキャンセルするようになっている。
【００４１】
バランス室６には、ステータシャフト２５とタービンシャフト２４との間に形成された油路２５ａからタービンハブ３３に設けられた油路３３ａを通じて供給されるオイルの一部が、連結部材１２に設けられた軸方向に延びる油路１２ｂを通じて導入されるようになっている。油路１２ｂには、油路１２ｂ内に挿入された円柱体１５によって形成された環状隙間絞りが設けられている。
【００４２】
バランス室６はまた、連結部材１２に設けられた径方向に延びる油路１２ｃ及びタービンシャフト２４に設けられた径方向に貫通する連通孔２４ｃを介して、タービンシャフト２４の内部の外側の油路２４ｂに連通し、バランス室６内のオイルは油路１２ｃ及び連通孔２４ｃを通じて排出されるようになっている。
【００４３】
タービンシャフト２４の内部には、軸方向に貫通する油穴２７が設けられており、油穴２７は、該油穴２７に内嵌されたパイプ部材２８によって、油圧室４に連通する内側の油路２４ａと、バランス室６に連通する外側の油路２４ｂとに仕切られている。
【００４４】
ダンパスプリング７０は、ロックアップクラッチ６０の締結時に回転方向にたわんで駆動源による振動を低減するものであり、ロックアップクラッチ６０と軸方向にオーバーラップしてロックアップクラッチ６０の外周側に配置されている。ダンパスプリング７０は、周方向に等間隔に複数配置されている。
【００４５】
ダンパスプリング７０は、クラッチドラム６２に一体的に形成されてクラッチドラム６２から外方に延びるスプリング受け部材７１に設けられたスプリング受け部７１ａに周方向に支持されると共に、ダンパスプリング７０の外周側を保持するスプリング保持プレート７３に設けられたスプリング受け部７３ａに周方向に支持され、スプリング受け部材７１とスプリング保持プレート７３とを回転方向に弾性的に連結する。
【００４６】
そして、スプリング保持プレート７３の内周端部がリベットによりタービンハブ３３に結合され、ロックアップクラッチ６０が締結されたときには、ポンプシェル２１側の回転、すなわちクランクシャフトＢの回転がロックアップクラッチ６０を介してスプリング受け部材７１に入力され、ダンパスプリング７０を介して、スプリング保持プレート７３からタービンシェル側、具体的にはタービンハブ３３に伝達されるようになっている。ダンパスプリング７０として、好ましくはねじり角度が広く低剛性化したものが用いられる。
【００４７】
トルクコンバータ１はまた、ケース１０に、揺動可能な揺動体を有して駆動源による振動を低減する動吸振器として遠心式の振り子ダンパ８０を備えている。振り子ダンパ８０は、ポンプシェル２１及びタービンシェル３１の外周側においてポンプシェル２１及びタービンシェル３１と軸方向にオーバーラップして配置されている。振り子ダンパ８０は、周方向に複数配置されている。
【００４８】
振り子ダンパ８０は、支持体として環状に形成されたプレート部材８１と、支持体に対して揺動可能な揺動体としてプレート部材８１に対して揺動可能に支持される質量部材８２とを有し、質量部材８２は、プレート部材８１に周方向に延びるように設けられた円弧状のガイド穴８１ａに揺動可能に支持されている。
【００４９】
質量部材８２は、円盤状に形成された２つのプレート部８２ａと該２つのプレート部８２ａを連結する略円柱状の連結部８２ｂとを有し、プレート部材８１が２つのプレート部８２ａの間に配置された状態で連結部８２ｂがプレート部材８１のガイド穴８１ａに挿入されることによりプレート部材８１に揺動可能に支持されている。
【００５０】
トルクコンバータ１では、振り子ダンパ８０は、ポンプシェル２１及びタービンシェル３１の外周側に配置され、プレート部材８１の外周端部がリアカバー１３の内周面に溶接により結合されることによりケース１０の内周面に取り付けられている。
【００５１】
このようにして、振り子ダンパ８０がケース１０に結合されることにより、ケース１０から、タービンハブ３３を介して変速機構に動力が伝達される際、振り子ダンパ８０は、エンジンによる振動を低減することができるようになっている。振り子ダンパ８０は、質量部材８２の揺動によって所定の共振周波数に対応するエンジン回転数だけでなく全エンジン回転数に亘って振動を低減することができるようになっている。
【００５２】
前述したように、振り子ダンパ８０は、ポンプシェル２１及びタービンシェル３１の外周側においてポンプシェル２１及びタービンシェル３１と軸方向にオーバーラップして配置されている。ダンパスプリング７０は、振り子ダンパ８０と径方向にオーバーラップして振り子ダンパ８０の前方に配置されている。
【００５３】
ここで、トルクコンバータ１の作用を説明すると、ロックアップクラッチ６０の非締結時には、エンジン出力は、エンジンのクランクシャフトＢと一体的に回転するケース１０に結合されたポンプシェル２１から、トーラスＴ内で循環するオイルを介してタービンシェル３１へ伝達され、タービンハブ３３及びタービンシャフト２４を介して変速機構に伝達されることになる。その場合に、ステータ４０のトルク増大作用が得られる変速比においては、エンジンの出力トルクが増大されて変速機構へ出力される。
【００５４】
また、ロックアップクラッチ６０の油圧室４に所定の締結用油圧が供給されたロックアップクラッチ６０の締結時には、ポンプシェル２１側とタービンシェル３１側とがロックアップクラッチ６０を介して連結されることにより、エンジン出力は、エンジンのクランクシャフトＢと一体的に回転するケース１０から、ロックアップクラッチ６０、ダンパスプリング７０、及びタービンハブ３３に伝達され、タービンシャフト２４を介して変速機構に伝達されることになる。この場合、オイルを介することなく変速機構へ伝達されることにより、ロックアップクラッチ６０の非締結時よりトルク伝達効率が向上し、エンジンの燃費性能が向上する。
【００５５】
振り子ダンパ８０は、エンジンからの動力が伝達されるケース１０に取り付けられ、ロックアップクラッチ６０の非締結時及び締結時の何れにおいても、エンジンによる振動を低減するように構成されている。
【００５６】
本実施形態では、ポンプシェル２１及びタービンシェル３１の外周側に配置される振り子ダンパ８０が、ポンプシェル２１及びタービンシェル３１の両方と軸方向にオーバーラップされているが、ポンプシェル２１及びタービンシェル３１の少なくとも一方と軸方向にオーバーラップするようにしてもよい。
【００５７】
このように、本実施形態に係る流体伝動装置１では、ケース１０に、駆動源による振動を低減する動吸振器８０が備えられ、動吸振器８０は、ポンプシェル２１及びタービンシェル３１の外周側においてポンプシェル２１及びタービンシェル３１の少なくとも一方と軸方向にオーバーラップして配置される。これにより、動吸振器８０を備えた流体伝動装置１において、動吸振器をポンプシェル及びタービンシェルと軸方向にオーバーラップさせない場合に比べて、流体伝動装置１の軸方向寸法が短縮され、流体伝動装置１を軸方向にコンパクトに構成することが可能である。ロックアップクラッチ６０を備えた流体伝動装置１において、動吸振器８０による振動低減を有効に得ることができる。
【００５８】
また、ロックアップクラッチ６０の締結時に駆動源による振動を低減するダンパスプリング７０が備えられ、ダンパスプリング７０は、ロックアップクラッチ６０の外周側に配置されると共に動吸振器８０と径方向にオーバーラップして配置される。これにより、ロックアップクラッチ６０とダンパスプリング７０とを軸方向にコンパクトに構成することができると共にダンパスプリング７０と動吸振器８０とを径方向にコンパクトに構成することができ、流体伝動装置１をコンパクトに構成することができる。
【００５９】
また、動吸振器８０は、ケース１０の内周面に取り付けられる。これにより、動吸振器８０を安定して支持させることができ、動吸振器８０による振動低減を有効に得ることができる。
【００６０】
図３は、本発明の第２実施形態に係る流体伝動装置の断面図である。第２実施形態に係る流体伝動装置１０１は、第１実施形態に係る流体伝動装置１と、動吸振器が異なること以外は同様であるので、同様の構成については同一符号を付して説明を省略する。
【００６１】
第２実施形態に係る流体伝動装置としてのトルクコンバータ１０１においても、図３に示すように、ポンプ２０、タービン３０、ステータ４０、ワンウェイクラッチ５０、ロックアップクラッチ６０及びダンパスプリング７０を有し、これらがケース１０内に収納されていると共に、ケース１０内にはオイルが充満されるようになっている。
【００６２】
トルクコンバータ１０１では、ケース１０に、揺動可能な揺動体を有して駆動源による振動を低減する動吸振器としてダイナミックダンパ１８０が備えられている。ダイナミックダンパ１８０は、ポンプシェル２１及びタービンシェル３１の外周側においてポンプシェル２１及びタービンシェル３１と軸方向にオーバーラップして配置されている。
【００６３】
ダイナミックダンパ１８０は、支持体として環状に形成されたプレート部材１８１と、プレート部材１８１の前方及び後方にそれぞれ固定されると共に環状に形成された例えばゴム製の弾性部材１８２と、支持体に対して揺動可能な揺動体としてプレート部材１８１及び弾性部材１８２を覆うように断面略コ字状に形成されて弾性部材１８２に固定された環状の質量部材１８３とを有している。質量部材１８３は、弾性部材１８２を介してプレート部材１８１に揺動可能に支持されている。
【００６４】
トルクコンバータ１０１についても、ダイナミックダンパ１８０は、ポンプシェル２１及びタービンシェル３１の外周側に配置され、プレート部材１８１の外周端部がリアカバー１３の内周面に溶接により結合されることによりケース１０の内周面に取り付けられている。
【００６５】
このようにして、ダイナミックダンパ１８０がケース１０に結合されることにより、ケース１０から、タービンハブ３３を介して変速機構に動力が伝達される際、ダイナミックダンパ１８０は、エンジンによる振動を低減することができるようになっている。ダイナミックダンパ１８０は、質量部材１８３の揺動によって所定の共振周波数に対応するエンジン回転数における振動を低減することができるようになっている。
【００６６】
本実施形態においても、ダイナミックダンパ１８０は、ポンプシェル２１及びタービンシェル３１の外周側においてポンプシェル２１及びタービンシェル３１の少なくとも一方と軸方向にオーバーラップして配置され、ダンパスプリング７０は、ダイナミックダンパ１８０と径方向にオーバーラップしてダイナミックダンパ１８０の前方に配置される。
【００６７】
このように、本実施形態に係る流体伝動装置１０１においても、ケース１０に、駆動源による振動を低減する動吸振器１８０が備えられ、動吸振器１８０は、ポンプシェル２１及びタービンシェル３１の外周側においてポンプシェル２１及びタービンシェル３１の少なくとも一方と軸方向にオーバーラップして配置されることにより、動吸振器をポンプシェル及びタービンシェルと軸方向にオーバーラップさせない場合に比べて、流体伝動装置１０１の軸方向寸法が短縮され、流体伝動装置１０１を軸方向にコンパクトに構成することが可能である。ロックアップクラッチ６０を備えた流体伝動装置１０１において、動吸振器１８０による振動低減を有効に得ることができる。
【００６８】
図４は、本発明の第３実施形態に係る流体伝動装置の断面図である。第３実施形態に係る流体伝動装置２０１は、第１実施形態に係る流体伝動装置１と、動吸振器が異なること以外は同様であるので、同様の構成については同一符号を付して説明を省略する。
【００６９】
第３実施形態に係る流体伝動装置としてのトルクコンバータ２０１においても、図４に示すように、ポンプ２０、タービン３０、ステータ４０、ワンウェイクラッチ５０、ロックアップクラッチ６０及びダンパスプリング７０を有し、これらがケース１０内に収納されていると共に、ケース１０内にはオイルが充満されるようになっている。
【００７０】
トルクコンバータ２０１では、ケース１０に、揺動可能な揺動体を有して駆動源による振動を低減する動吸振器としてビスカスダンパ２８０が備えられている。ビスカスダンパ２８０は、ポンプシェル２１及びタービンシェル３１の外周側においてポンプシェル２１及びタービンシェル３１と軸方向にオーバーラップして配置されている。
【００７１】
ビスカスダンパ２８０は、支持体として環状に形成された略断面矩形状のケーシング２８１と、支持体に対して揺動可能な揺動体としてケーシング２８１内に収納されると共に環状に形成された質量部材２８２とを有し、ケーシング２８１と質量部材２８２との間の隙間２８３にシリコンオイル等の粘性流体が封入されている。質量部材２８２は、粘性流体を介してケーシング２８１に揺動可能に支持されている。
【００７２】
トルクコンバータ２０１についても、ビスカスダンパ２８０は、ポンプシェル２１及びタービンシェル３１の外周側に配置され、ケーシング２８１の外周端部に設けられた径方向に延びる環状の延設部２８１ａがリアカバー１３の内周面に溶接により結合されることによりケース１０の内周面に取り付けられている。
【００７３】
このようにして、ビスカスダンパ２８０がケース１０に結合されることにより、ケース１０から、タービンハブ３３を介して変速機構に動力が伝達される際、ビスカスダンパ２８０は、エンジンによる振動を低減することができるようになっている。ビスカスダンパ２８０は、質量部材２８２の揺動によって所定の共振周波数に対応するエンジン回転数における振動を低減することができるようになっている。
【００７４】
本実施形態においても、ビスカスダンパ２８０は、ポンプシェル２１及びタービンシェル３１の外周側においてポンプシェル２１及びタービンシェル３１の少なくとも一方と軸方向にオーバーラップして配置され、ダンパスプリング７０は、ビスカスダンパ２８０と径方向にオーバーラップしてビスカスダンパ２８０の前方に配置される。
【００７５】
このように、本実施形態に係る流体伝動装置２０１においても、ケース１０に、駆動源による振動を低減する動吸振器２８０が備えられ、動吸振器２８０は、ポンプシェル２１及びタービンシェル３１の外周側においてポンプシェル２１及びタービンシェル３１の少なくとも一方と軸方向にオーバーラップして配置されることにより、動吸振器をポンプシェル及びタービンシェルと軸方向にオーバーラップさせない場合に比べて、流体伝動装置２０１の軸方向寸法が短縮され、流体伝動装置２０１を軸方向にコンパクトに構成することが可能である。ロックアップクラッチ６０を備えた流体伝動装置２０１において、動吸振器２８０による振動低減を有効に得ることができる。
【００７６】
図５は、本発明の第４実施形態に係る流体伝動装置の断面図である。第４実施形態に係る流体伝動装置３０１は、第１実施形態に係る流体伝動装置１と、ケースのリアカバーがダンパスプリングと動吸振器の間を通じてポンプシェルと一体的に形成されると共に動吸振器がケースの外周面に取り付けられること以外は同様であるので、同様の構成については同一符号を付して説明を省略する。
【００７７】
第４実施形態に係る流体伝動装置としてのトルクコンバータ３０１においても、図５に示すように、ポンプ２０、タービン３０、ステータ４０、ワンウェイクラッチ５０、ロックアップクラッチ６０及びダンパスプリング７０を有し、これらがケース１０内に収納されていると共に、ケース１０内にはオイルが充満されるようになっている。
【００７８】
トルクコンバータ３０１はまた、ケース１０に、揺動可能な揺動体を有して駆動源による振動を低減する動吸振器として遠心式の振り子ダンパ３８０を備え、振り子ダンパ３８０は、ポンプシェル２１及びタービンシェル３１の外周側においてポンプシェル２１及びタービンシェル３１と軸方向にオーバーラップして配置されている。振り子ダンパ８０は、周方向に複数配置されている。
【００７９】
振り子ダンパ３８０は、振り子ダンパ８０と同様に、支持体として環状に形成されたプレート部材８１と、支持体に対して揺動可能な揺動体としてプレート部材８１に対して揺動可能に支持される質量部材８２とを有し、質量部材８２は、プレート部材８１に周方向に延びるように設けられた円弧状のガイド穴８１ａに揺動可能に支持されている。
【００８０】
質量部材８２は、円盤状に形成された２つのプレート部８２ａと該２つのプレート部８２ａを連結する略円柱状の連結部８２ｂとを有し、プレート部材８１が２つのプレート部８２ａの間に配置された状態で連結部８２ｂがプレート部材８１のガイド穴８１ａに挿入されることによりプレート部材８１に揺動可能に支持されている。
【００８１】
トルクコンバータ３０１では、ケース１０のリアカバー３１３は、フロントカバー１１に結合されると共にダンパスプリング７０と振り子ダンパ３８０との間を通じて径方向延びる縦壁部３１３ａと、縦壁部３１３ａの内周端部からタービンシェル３１ａの外周側において軸方向に延びると共にポンプシェル２１の最外周部に結合される円筒部３１３ｂとを備えるように形成されている。本実施形態では、リアカバー３１３は、ポンプシェル２１と一体的に形成されている。
【００８２】
そして、振り子ダンパ３８０は、ポンプシェル２１及びタービンシェル３１の外周側に配置され、プレート部材８１の内周端部に設けられた環状のフランジ部３８１ｂがリアカバー３１３及びポンプシェル２１の外周面に溶接により結合されることによりケース１０の外周面に取り付けられている。
【００８３】
本実施形態においても、振り子ダンパ３８０は、エンジンからの動力が伝達されるケース１０に取り付けられ、ロックアップクラッチ６０の非締結時及び締結時の何れにおいても、エンジンによる振動を低減するように構成されている。
【００８４】
本実施形態では、ポンプシェル２１及びタービンシェル３１の外周側に配置される振り子ダンパ３８０は、ポンプシェル２１及びタービンシェル３１の両方と軸方向にオーバーラップされているが、ポンプシェル２１及びタービンシェル３１の少なくとも一方と軸方向にオーバーラップするようにしてもよい。
【００８５】
このように、本実施形態に係る流体伝動装置３０１においても、ケース１０に、駆動源による振動を低減する動吸振器３８０が備えられ、動吸振器３８０は、ポンプシェル２１及びタービンシェル３１の外周側においてポンプシェル２１及びタービンシェル３１の少なくとも一方と軸方向にオーバーラップして配置される。これにより、動吸振器３８０を備えた流体伝動装置３０１において、動吸振器をポンプシェル及びタービンシェルと軸方向にオーバーラップさせない場合に比べて、流体伝動装置３０１の軸方向寸法が短縮され、流体伝動装置３０１を軸方向にコンパクトに構成することが可能である。ロックアップクラッチ６０を備えた流体伝動装置３０１において、動吸振器３８０による振動低減を有効に得ることができる。
【００８６】
また、動吸振器３８０は、ケース１０の外周面に取り付けられる。これにより、動吸振器３８０を安定して支持させることができ、動吸振器３８０による振動低減を有効に得ることができる。また、動吸振器３８０をケース１０の外周面に取り付けることにより、ケース１０の内周面に取り付ける場合に比して、ケース内の流体を充填する空間を小さくして流体の供給量を低減することができ、重量の低減を図ることができる。
【００８７】
本実施形態では、ケース１０に備えられる動吸振器として振り子ダンパ８０、３８０、ダイナミックダンパ１８０、ビスカスダンパ２８０が用いられているが、その他の動吸振器を用いることも可能である。
【００８８】
本発明は、例示された実施の形態に限定されるものではなく、本発明の要旨を逸脱しない範囲において、種々の改良及び設計上の変更が可能である。
【産業上の利用可能性】
【００８９】
以上のように、本発明によれば、動吸振器が備えられた流体伝動装置において、軸方向にコンパクトに構成することが可能となるから、流体伝動装置ないしこれを搭載する車両の製造技術分野において好適に利用される可能性がある。
【符号の説明】
【００９０】
１、１０１、２０１、３０１  トルクコンバータ
１０  ケース
２０  ポンプ
２１  ポンプシェル
２１ａ  ポンプシェルの湾曲部
３０  タービン
３１  タービンシェル
３１ａ  タービンシェルの湾曲部
６０  ロックアップクラッチ
７０  ダンパスプリング
８０、１８０、２８０、３８０  動吸振器
【図１】
0006344328.tif 000002
【図２】
0006344328.tif 000003
【図３】
0006344328.tif 000004
【図４】
0006344328.tif 000005
【図５】
0006344328.tif 000006